Podtech/llm-jp-corpus-v4-ja_patent huggingface dataset:
(57)【要約】【課題】  保管されたデータに対して外部からの意図しないアクセスからユーザのプライバシーを守ること。アクセスする為にユーザー名およびパスワードを入力する手間を省く事。データを盗難、天災等からのリスク回避する事。保管されたデータの責任の所在を明確にする事により情報流出を心理面からも防ぐ事。【解決手段】  複数の地点に設置されたサーバに、暗号化および多重化冗長化裁断化されたデータを動的に分散保存すること。またユーザーが安全度の高い（例えば生体認証または複数の認証方法の複合等）を行うことにより、全てのサービスの必要なセキュリティ処理を代行して行うことにより簡易な方法での個人識別を可能にした。通信の部分を暗号化で送受信する事でセキュリティ性を向上させた。データへのアクセスログを残す事により何時誰が何のデータに何をしたかが明確に分るようにして情報管理への責任を個人レベルまで徹底する。上記組み合わせで上記課題を解決している。【選択図】          図１
2007128240.tif 000002
【特許請求の範囲】
【請求項１】
インターネットを介し地理的、領域的またはイデオロギー的に隔絶された複数の地点に設置されたサーバに、暗号化および多重化冗長化裁断化されたデータを分散保存し、またユーザのアクセス時には生体認証などの高いセキュリティを行い個人認証し、通信回線の暗号化を行うことによって、あらゆる勢力からのデータへの意図しないアクセスを遮断するシステム。
【発明の詳細な説明】
【技術分野】
【０００１】
本発明は、インターネットを利用したデータストレージサービスに関するものである。
本発明は使用者の個人を判断しユーザーの手続きを簡単にするが可能なデータセキュリティに関する。
【背景技術】
【０００２】
従来、データストレージサービスで顧客より預かったデータは一カ所に設置されたサーバに保管され、外部からの意図しないアクセスに対して脆弱であった。またアクセスするためにはユーザ名およびパスワードによる認証が行われており、手間がかかっていた。
【発明の開示】
【発明が解決しようとする課題】
【０００３】
本発明の課題は、保管されたデータに対して外部からの意図しないアクセスからユーザのプライバシーを守ること。また、アクセスする為にユーザー名およびパスワードを入力する手間から解放され、ユーザビリティを向上させファイルを安全に管理する事。また、手元にデータ保存の為のハードディスクを置かなくなる事で盗難、天災等からデータを守る事にある。保管されたデータへの責任の所在を明確にする事により情報流出を心理面からも防ぐ事。
そこで本発明の目的は、これらの従来の課題を解決し、ユーザーがサービスを利用する場合でも、簡単に個人認証が可能になりユーザビリティを向上させ、かつセキュリティ情報を安全に管理する事ができるデータ管理方法を提供することにある。
【課題を解決するための手段】
【０００４】
地理的、領域的またはイデオロギー的に隔絶された複数の地点に設置されたサーバに、暗号化および多重化冗長化裁断化されたデータを分散保存することと、生体認証などの高いセキュリティを利用することにより簡易な方法での個人識別を可能にした。また一般ユーザーが安全度の高い（例えば生体認証または複数の認証方法の複合等）を行うことにより、全てのサービスの必要なセキュリティ処理（例えば、暗号化、パスワード入力、電子署名等）を代行して行う。通信の部分に暗号化で送受信する事でセキュリティ性を向上させる。また、データへのアクセスログを残す事により何時誰が何のデータに何をしたかが明確に分るようにして情報管理への責任を個人レベルまで徹底する。上記組み合わせで上記課題を解決している。
【発明の効果】
【０００５】
本発明によれば、本来守られるべき個人のプライバシーを考えうるすべての勢力から守ることができる。
【発明を実施するための最良の形態】
【０００６】
以下、本発明の実施例を図面によって詳細に説明する。図１は、本発明の原理を示す説明図である。図１は、システムを構成するネットワーク図である。サーバ3とサーバ４から8とクライアントPC1はインターネットを介して接続されている。サーバ4からサーバ8のサーバ数は増減する物とする。また、PC1にはUSBインターフェイスなどを利用して個人認証装置2が接続されている。ユーザーがPC1よりサーバ3にアクセスする際には個人認証装置2による認証が必要である。PC1よりサーバ3にアップロードされたデータはサーバ3の記憶装置にファイルとして保管せずに動的に暗号化多重化冗長化裁断化されサーバ４からサーバ8の記憶装置に保管される。ユーザーがPC1から多重分散、暗号化されたデータにアクセスする際は、サーバ４からサーバ8のデータ保管サーバからサーバ１に集約され動的に復号化されたデータをダウンロードする。
【０００７】
いま、図１のようにサービスを利用するにはサーバ３にてセキュアな認証2とデジタル署名を必要としている。
【０００８】
クライアントPC1にはAPP（ブラウザ等）が内蔵されるサービスに対応したセキュアなユーザー認証、公開鍵ペア、デジタル証明書、暗号鍵が、また認証装置にはサービスに対応したセキュリティポリシー、暗号鍵が、それぞれ内蔵される。
【０００９】
セキュアなユーザー認証2としてスマートカード、生体認証、複合認証などがある。これにより、一括してログインできるようなサービスが可能である。
【００１０】
個人認証2をPC1に接続することにより、ユーザー認証がOKになると、次の順序で処理フローが進行する。
個人認証プログラム起動（ステップ１）
個人認証プログラム実行
サービスにアクセス
サーバAに公開鍵、デジタル証明を暗号化して送信
サーバAから公開鍵、デジタル証明をダウンロード
サービスに必要なセキュリティ処理を自動実行
（６）必要なセキュリティ処理が終了すれば通常通りサービスを利用、そのまま別のサービスを利用する事も可能。
【図面の簡単な説明】
【００１１】
【図１】システムを構成するネットワーク図
【図１】
2007128240.tif 000003
(57)【要約】【課題】ＣＰＵがハングアップしているが、データバスが正常動作している場合には、バスコントロール機能を譲渡することができる統合制御システムを提供する。【解決手段】複数の通信航法装置をＭＩＬ−ＳＴＤ−１５５２Ｂデータバスを介して一括集中制御する統合制御システムにおいて、バスコントローラとして機能する２台の統合制御器１，２を使用し、一方の統合制御器内部でメインＣＰＵがハングアップした状態でバス通信が停止しないような異常発生時に、他方の統合制御器にバスコントロール機能を委譲する手段を備えたことを特徴とする統合制御システム。【選択図】図１
2007128284.tif 000002
【特許請求の範囲】
【請求項１】
複数の通信航法装置をＭＩＬ−ＳＴＤ−１５５２Ｂデータバスを介して一括集中制御する統合制御システムにおいて、
バスコントローラとして機能する２台の統合制御器を使用し、一方の統合制御器内部でメインＣＰＵがハングアップした状態でバス通信が停止しないような異常発生時に、他方の統合制御器にバスコントロール機能を委譲する手段を備えたことを特徴とする統合制御システム。
【発明の詳細な説明】
【技術分野】
【０００１】
本発明は、複数の通信航法装置をＭＩＬ−ＳＴＤ−１５５２Ｂデータバスを介して一括集中制御する統合制御システムに関するものである。
【背景技術】
【０００２】
図２は従来の統合制御システムを示すブロック図である。図２において、１はバスコントローラを構成するＣＤＵ、２はリモートターミナルを構成するＣＤＵ、１１〜１３はリモートターミナルを構成する通信装置、１４〜１６はリモートターミナルを構成する航法装置である。これらはＣＤＵ１，２から制御コマンドを送信すると共に、これらに対しての返答データを送信するためのチャネルＡ、Ｂ（ＭＩＬ−ＳＴＤ−１５５２Ｂデータバス）を介して相互に接続されている。
【０００３】
航空機搭載の通信航法装置は、図２に示すように、通常バスコントローラとなる統合制御器（ＣＤＵ１）にて、ＭＩＬ−ＳＴＤ−１５５２Ｂデータバスを介して一括集中制御されている。このＭＩＬ−ＳＴＤ−１５５２Ｂデータバスラインを使用した制御方法としては、ＣＤＵ１から制御データが通信航法装置に送られ、通信航法装置のチャネルなどの設定等が変更され、その変更後のデータがＣＤＵ１からの指令により、返答されるという手順になっている。
【０００４】
また、特に設定の変更等が無い場合でも、このシーケンスは変わらず毎回同じデータのやり取りを行うこととなる。また、この系には、ＣＤＵがもう一台装備されており、通常は他の通信航法装置と同様にリモートターミナルとしてバスコントローラのＣＤＵから制御される形になっており（ＣＤＵ２）、両ＣＤＵとも同一表示を行っている。万一、ＣＤＵ１に不具合が生じて、バスコントロール機能が失われると、ＣＤＵ２にバスコントロール機能が譲渡され、ＣＤＵ１がリモートターミナル機能、ＣＤＵ２がバスコントロール機能を有することとなる。
【０００５】
なお、本発明の関連技術として、情報送信側装置と受信側装置間でＭＩＬ−ＳＴＤ−１５５２Ｂデータバスを介してデータ転送を行う情報転送装置において、情報送信側装置のメモリ内の転送情報を、受信側装置が確実に受信するまで保存でき、装置の信頼性の航法を図るようにした統合制御システムが知られている（例えば下記特許文献１参照）。
【特許文献１】特開平７−５８８０３号公報
【発明の開示】
【発明が解決しようとする課題】
【０００６】
ここでのバスコントロール機能譲渡の条件は、リモートターミナル側に定期的にデータが来なくなることを条件としているが、仮にＣＤＵ内部でメインＣＰＵがハングアップした場合でもＭＩＬ−ＳＴＤ−１５５２ＢデータバスＬＳＩは、ＣＤＵ２側でＣＤＵ１がハングアップしていることが判定できず、バスコントローラの譲渡ができないとう事態が発生し、通信航法装置が制御不能に陥る。
【０００７】
本発明は、ＣＰＵがハングアップしているが、データバスが正常動作している場合には、バスコントロール機能を譲渡することができる統合制御システムを提供することを目的とする。
【課題を解決するための手段】
【０００８】
上述した課題を解決するため、本発明は、複数の通信航法装置をＭＩＬ−ＳＴＤ−１５５２Ｂデータバスを介して一括集中制御する統合制御システムにおいて、バスコントローラとして機能する２台の統合制御器を使用し、一方の統合制御器内部でメインＣＰＵがハングアップした状態でバス通信が停止しないような異常発生時に、他方の統合制御器にバスコントロール機能を委譲する手段を備えたことを特徴とする。
【発明の効果】
【０００９】
本発明によれば、ＣＰＵがハングアップしているが、データバスが正常動作している場合には、バスコントロール機能を譲渡することができる信頼性の高い統合制御システムを提供することができる。
【発明を実施するための最良の形態】
【００１０】
以下、本発明の実施の形態を図を用いて説明する。
図１は、本発明の実施の形態を示すブロック図であり、図２と同一構成物については、同一符号を付している。
【００１１】
本実施の形態では、データバスの監視においては、従来どおりであり、ＣＰＵハングアップ時についての機能が追加されている。すなわち、ＣＤＵ１において、ＣＰＵのタイマ機能により定期的（例えば０．５秒に１回程度）にポート出力が行われている。ポート出力が行われると、そのポート出力をワンショットタイマに入力し、この間、アクティブ状態の信号を出力し続ける。この信号をＣＤＵ１から出力し、ＣＤＵ２に入力し、ＣＤＵ２側でＣＤＵ１のＣＰＵの状態監視を行う。
【００１２】
ＣＤＵ１のＣＰＵがハングアップすると、タイマ機能も停止し、それに伴いポート出力も停止する。ＣＤＵ１からの信号がアクティブ状態の信号から非アクティブ状態の信号となり、ＣＤＵ２にてＣＤＵ１に異常が発生したと判断し、ＣＤＵ２がバスコントローラとなる。
【００１３】
しかし、このままではＣＤＵ１もバスコントロール機能が生きており、データバス上に２台のバスコントローラが存在することとなり、データが衝突する。そこで、ＣＤＵ２からＣＤＵ１のＭＩＬ−ＳＴＤ−１５５３ＢバスＬＳＩに対しリセット信号を出力し、ＬＳＩの機能自体を止めるようにする。
【００１４】
これにより、ＣＤＵ１側のＣＰＵがハングアップした状態にて、バスコントロール機能が機能していたとしても、正しく、ＣＤＵ２側にバスコントロール機能を譲渡することができる。したがって、通信航法装置が制御不能となることが無い。またシステムに対して大掛かりな改修も必要なく、安全性を高めることができる。
【図面の簡単な説明】
【００１５】
【図１】本発明の実施の形態に係る統合制御システムを示すブロック図である。
【図２】従来の技術における統合制御システムを示すブロック図である。
【符号の説明】
【００１６】
１、２  ＣＤＵ、１１〜１３  リモートターミナル（通信装置）、１４〜１６  リモートターミナル（航法装置）。
【図１】
2007128284.tif 000003
【図２】
2007128284.tif 000004
(57)【要約】      （修正有）【課題】旗竿の先端部分に取り付ける旗の首振り器具の磨耗を減らし安定に作動する首振り器具を提供する。【解決手段】旗の首振り器具の芯棒部分６とその外周に設けたスリーブ４との間にローラ５を装着した構造とする。【選択図】図１
2007128012.tif 000002
【特許請求の範囲】
【請求項１】
旗竿首振り器具の芯棒とスリーブの間にローラー部品を装着して芯棒の磨耗をなくし、器具の作動を良くした、旗竿首振り器具。
【請求項２】
旗竿首振り器具の芯棒とスリーブの間にボール玉部品を装着して芯棒の摩耗をなくし、器具の作動を良くした、旗竿首振り器具。
【発明の詳細な説明】
【技術分野】
【０００１】本発明は，旗竿の先端部分に取り付ける首振り器具の芯棒部分に（ローラー部品を取り付けて、芯棒の磨耗をふせぎ長持ちさせる仕組みである。
【背景技術】
【０００２】従来の旗竿首振り器具は、プラスッチク制の芯棒対直スリーブの構造なので、磨耗が早く長持ちしない。
【発明の開示】
【発明の効果】
【０００３】このように芯棒の部分に（ローラー）部品を取り付けることによって、芯棒の作動が良くなり、芯棒と、スリーブの磨耗が少なくなる。
【発明を実施する為の最良の形態】
【０００４】本発明は旗竿首振り器具の芯棒の部分に（ローラー）部品を取り付けることによって器具の作動が（ローラー）の働きにより良くなり器具が長持ちする。
【図面の簡単な説明】
【０００５】
【図１】旗竿首振り器具の図面である。
【符号の説明】
【０００６】▲１▼      旗支え棒ロックネジ
▲２▼      本体
▲３▼      旗支え棒
▲４▼      スリーブ
▲５▼      ローラ
▲６▼      芯棒部分
▲７▼      旗竿本体
【図１】
2007128012.tif 000003
(57)【要約】【課題】工具類を必要とせずに簡単に取り付けることができる配線ダクトレ−ルを提供する。【解決の手段】シ−リングロ−ゼット２の下面に設けられている栓刃挿入口３に掛止される栓刃５と掛止後のプラグ付き配線ダクトレ−ル本体１の回動を固定するロック釦６を有し、前記シ−リングロ−ゼット２に配線ダクトレ−ル本体１を取付けた後、天井面１１に対する傾きを調整する調整用ネジ９を設けた構造とする。【選択図】図１
2007128837.tif 000002
【特許請求の範囲】
【請求項１】
天井に固着されたシ−リングロ−ゼットの下面に着脱自在に掛止される栓刃と取付後のダクトレ−ル本体の回動をロックするロック釦を設けたプラグ外郭部と、前記プラグ外郭部の下面部に固定された長尺ダクトレ−ル部を備えたことを特徴とするプラグ付き配線ダクトレ−ル。
【請求項２】
前記配線ダクトレ−ルは、長尺ダクトレ−ル部の両端部に天井面に対して当接する調整用ネジを設けたことを特徴とする請求項１に記載のプラグ付き配線ダクトレ−ル。
【発明の詳細な説明】
【技術分野】
【０００１】本発明は、工具類を必要とせずに取付可能なプラグ付き配線ダクトレ−ルに関する。
【背景技術】
【０００２】配線ダクトレ−ルをシ−リングロ−ゼットに取り付ける際、埋込型のシ−リングロ−ゼットの場合では、シ−リングロ−ゼットに設けてある取付金具のビス穴にネジ等を用いて配線ダクトレ−ルを取り付けているための取付金具を固定し、核取付金具に化粧ネジ等によりダクトレ−ル本体を取り付けていた。また、露出型の場合では、ダクトレ−ル本体を取り付けるための取付金具をシ−リングを介在した状態で、木ネジ等により直接天井面に固定した後、取付金具に化粧ネジ等によりダクトレ−ル本体を取り付けていた。
【発明の開示】
【発明が解決しようとする課題】
【０００３】上述の取付方法であると、ドライバ−等の工具類が必要となり、天井にタッピングネジで取り付けることは専門作業となり、取付作業は困難を要していた。【０００４】本発明の目的は、ドライバ−等の工具類を必要としないで簡単に取り付けることができ、天井面に対するダクトレ−ル本体のガタツキや傾きを調整可能なプラグ付き配線ダクトレ−ルを提供する。
【課題を解決するための手段】
【０００５】請求項１に係るプラグ付き配線ダクトレ−ルは、天井に固着されたシ−リングロ−ゼットの下面に着脱自在に掛止される栓刃を設けたプラグ外郭部に配線ダクトレ−ルを一体に固定させたことを特徴とする。【０００６】請求項２に係るプラグ付き配線ダクトレ−ルは、請求項１に係わるプラグ付き配線ダクトレ−ルにおいて、長尺のダクトレ−ル部を有し、前記ダクトレ−ル部の両端部に天井面に対して当接する調整用ネジを設けたことを特徴とするものである。【０００７】天井に固着されたシ−リングロ−ゼットの下面に栓刃を設けた配線ダクトレ−ル本体を掛止させ、ダクトレ−ル部の両端部に設けれれた調整用ネジを回し、天井面に対して調整用ネジの先端を当接させ、照明器具の重量配分によるダクトレ−ル部の傾きを調整する。
【発明の効果】
【０００８】請求項１に係るプラグ付き配線ダクトレ−ルによれば、ドライバ−等の工具を必要としないで簡単に配線ダクトレ−ルを取り付けることができる。また、請求項２に係るプラグ付き配線ダクトレ−ルによれば、天井面に対して調整用ネジの先端を当接させることで、ダクトレ−ル部に取り付けられる照明器具の重量配分による前記ダクトレ−ル部の傾きを調整することができる。
【発明を実施するための最良の形態】
【０００９】以下、本発明の実施の形態を図面を参照して説明する。
図１は、本発明の実施形態に係るプラグ付き配線ダクトレ−ル取付けの斜視図である。プラグ付き配線ダクトレ−ル本体１は天井に固着されたシ−リングロ−ゼット２の下面に着脱自在に掛止される。【００１０】シ−リングロ−ゼット２は、従来公知のものであり、図１右側に符号２ａで示す埋込型のもの、図１の中央に符号２ｂで示す露出型のもの、図１の左側に符号２ｃで示す高荷重用ツバ付露出型のものの３タイプがある。
なお、埋込型シ−リングロ−ゼットの高さは規格値１１ｍｍであり、露出型シ−リングロ−ゼットの高さは規格値が２２ｍｍである。本発明のプラグ付き配線ダクトレ−ル本体１は、これら３つのタイプのシ−リングロ−ゼット２に対して取り付けることができる。【００１１】シ−リングロ−ゼット２の下面には、一対の円弧状の栓刃挿入口３が設けられている。栓刃挿入口３は、一端側に形成された幅広部と他端側に形成された幅狭部とを有し、幅狭部の奥部には屋内配線と接続された図示しない端子が配設されている。【００１２】図２は、本実施形態のプラグ付き配線ダクトレ−ル本体を上方向から見た斜視図である。プラグ外郭部４にシ−リングロ−ゼット２の栓刃挿入口３に挿入掛止される栓刃一対が固定ネジ１０により各々固定される。ロック釦６はプラグ付き配線ダクトレ−ル本体１を天井に固着されているシ−リングロ−ゼット２に取り付け後、ロック爪７が前記シ−リングロ−ゼット２の栓刃挿入口３の穴に突出し、前記プラグ付き配線ダクトレ−ル本体１の回動をロックする。
ダクトレ−ル部８の両端部に設けれれている調整用ネジ９は回すことで高さが変わるようになっている。【００１３】図３は、本実施形態のプラグ付き配線ダクトレ−ル本体をシ−リングロ−ゼットの栓刃挿入口に掛止させた斜視図である。
シ−リングロ−ゼット２には露出型及び埋込型があり、前記シ−リングロ−ゼット２の高さに対する差は調整用ネジ９を回すことにで天井面１１へ当接させ、取り付けられる照明器具の重量配分によるダクトレ−ル部８の傾きを調整する。【００１４】以上により、プラグ付き配線ダクトレ−ル本体１によれば、ドライバ−等工具を必要としないで簡単に配線ダクトレ−ル本体１を取り付けることができる。また、天井面１１に対して調整用ネジ９の先端を当接させることで、照明器具の重量配分によるダクトレ−ル部の傾きを調節することができる。
【図面の簡単な説明】
【００１５】
【図１】本発明の実施形態に係るプラグ付き配線ダクトレ−ルの取り付けを示す斜視図である。
【図２】プラグ付き配線ダクトレ−ル本体の上方向から見た斜面図である。
【図３】アダプ付き配線ダクトレ−ル本体を取り付けた状態を下方向から見た斜視図である。
【付号の説明】
【００１６】  １  プラグ付き配線ダクトレ−ル本体
２  シ−リングロ−ゼット
３  栓刃挿入口
４  プラグ外郭部
５  栓刃
６  ロック釦
７  ロック爪
８  ダクトレ−ル部
９  調整用ネジ
１０  固定ネジ
１１  天井面
【図１】
2007128837.tif 000003
【図２】
2007128837.tif 000004
【図３】
2007128837.tif 000005
(57)【要約】【課題】  従来の複数灯ラビッドスタート型および複数灯直列点灯インバー型照明器具は、点灯順位が固定されているため、蛍光管それぞれに寿命差を発生させていた。  これは、点灯始動時および点灯後のそれぞれの蛍光管の両端に印加される電圧に差を生じることに起因する。  蛍光管の交換は、蛍光管それぞれに寿命差が有りながら複数灯同時に交換するのが一般的である。  このとき、寿命期に達していない蛍光管まで廃棄物として処理されている。【解決手段】  蛍光灯点灯時に、コンデンサーに電荷を充電しておき消灯時に、このコンデンサーからの放電により駆動する充電回路を備えた蛍光管点灯順位交互切替器を設け複数灯の点灯順位を交互切替する。  これにより、複数灯の蛍光管寿命が平均化される。【選択図】図１
2007128838.tif 000002
【特許請求の範囲】
【請求項１】
複数灯用ラピッドスタート型蛍光灯器具に蛍光管点灯順位交互切替器を設けた蛍光灯器具。
【請求項２】
複数灯用インバーター型蛍光灯器具で蛍光管直列点灯型のものに蛍光管点灯順位交互切替器を設けた蛍光灯器具。
【請求項３】
請求項１および請求項２の蛍光器具の目的を達成するために、蛍光灯器具点灯時に電荷をコンデンサーに充電させておき、消灯時にコンデンサーからの放電により駆動する充電回路を備えた蛍光管点灯順位交互切替器。
【発明の詳細な説明】
【技術分野】
【０００１】  本発明は、複数灯用ラピッドスタート型および複数灯直列点灯インバーター型の蛍光灯器具に蛍光管点灯順位交互切替器を設け、蛍光管寿命の平均化を図った蛍光灯器具に関する。
【背景技術】
【０００２】  従来の複数灯用ラピッドスタート型蛍光灯器具及び複数灯直列点灯インバーター型の蛍光灯器具は、蛍光管の点灯順位が固定されており蛍光管それぞれに寿命差を発生させている。【０００３】  以下、図２により従来の２灯用ラピッドスタート型蛍光灯器具について説明する。  図２において１、２は蛍光管で電源印加直後には、１１の始動用コンデンサーを通じて２に微弱電流が流れると同時に２の両端に高電圧が印加され、グロー放電が始まる。  グロー放電が始まると同時に２の両端の電圧は一瞬下がり、１の両端には安定器２次定格電圧から２の両端の電圧との差電圧が印加される。  この差電圧は、２の始動時の印加電圧より低くなるがグロー放電を始め２灯ともに点灯する。また、２に微弱電流が流れ両端に高電圧が印加されるとき、３ｃ、３ｄのフィラメントは充分加熱されておらず熱電子も放出されにくい。  これに比べ３ａ、３ｂのフィラメントは２に比べ時間的に長く加熱されるので１の両端の電圧が低めでもグロー放電を始め点灯する。  また、点灯後１の両端の電圧は、２に比べ１１と１が並列になるためインピーダンスが低くなり、低めとなる。
以上より、始動時および点灯後の１、２の負担は、２のほうが高くなり、その結果２の寿命は１に比べ早くなる。【０００４】  複数灯直列点灯インバーター型の蛍光灯器具についても同様に寿命差が発生する。【０００５】  数千時間と使用していくうちに、ちらつき等不完全な点灯状態となり、蛍光管の交換となるが、この時２に比べ１は、まだ寿命期に達していない場合が多い。【０００６】  蛍光管交換時に、１としては寿命があるにも関わらず１、２とも同時に交換するのが一般的である。
【発明の開示】
【発明が解決しようとする課題】
【０００７】  以上に述べた従来の複数灯用ラピッドスタート型蛍光灯器具および複数灯直列点灯インバーター型蛍光灯器具では、複数灯の蛍光管に寿命差を発生させており有用な蛍光管まで廃棄物として処理するのが一般的である。【０００８】本発明は、このような従来の構成が有していた問題を解決しようとするものであり、複数灯の寿命を平均化、長寿命化し廃棄物としの処理量を減少させることを目的とするものである。
【課題を解決するための手段】
【０００９】  本発明は、上記目的を達成するために消灯ごとに蛍光管１、２の点灯順位を次回の点灯に備え交互切替する図１、５の蛍光管点灯交互切替器３０を設けたものである。【００１０】  ３０を消灯時に駆動させるために、図１、３、４の既存交互切替器３１にリレー１３、抵抗１４、コンデンサー１７および図１、５のラッチングリレー３２を設けた。
【発明の効果】
【００１１】  以下、本発明の形態を図１〜図５に基づいて説明する。【００１２】  図１において、電源７が安定器６に印加されると６の２次巻線８から力率償コンデンサー９ｂ、始動用コンデンサー１１を通じて蛍光管２の両端に高電圧が印加されグロー放電が始まりその後、蛍光管１の両端に電圧が印加され２灯とも点灯する。【００１３】  点灯中、図１および図３のリレー１３は励磁されその接点１５ａおよび１６を通じてコンデンサー１７に電荷を充電する。  また１４の抵抗は、１７に流れる電流および充電時間を調整する。【００１４】  点灯していた蛍光灯が、消灯すると１３の励磁が解け接点１５ｂおよび１６を通じ１７に充電されていた電荷が、図３、４、５の既存交互切替器３１へ電源が供給される。  これにより３１が駆動し、図１、５のラッチングリレー３２が励磁されその端子２４、２７が２５、２８に切替わる。【００１５】  次に点灯すると、図１の６から９ｂおよび１１通じて１の両端に高電圧が印加されグロー放電が始まりその後、蛍光管２の両端に電圧が印加され２灯とも点灯する。【００１６】  上述したように、点灯時に１７に電荷を充電しておき消灯時に１７に充電された電荷の放電で３１を駆動し、１および２の点灯順位を消灯時に交互切替する。  点灯ごとに１および２の点灯順位が、切替わるため１および２の始動時に於けるストレスは平均化し、その結果既存の複数灯用照明器具に使用した場合より長寿命となる。
【産業上の利用可能性】
【００１７】  上述したように、複数灯の寿命が平均、長寿命化となるため廃棄物の処理量を軽減でき環境への負荷を少なくすることができる。
【図面の簡単な説明】
【００１８】
【図１】  本発明の実施形態を示す２灯用ラピッドスタート型蛍光灯器具の回路系統図
【図２】  既存の２灯用ラピッドスタート型蛍光灯器具の回路系統図
【図３】  既存の交互切替器の電源回路部および今回付加した回路図
【図４】  既存の交互切替器の制御回路図
【図５】  既存の交互切替器制御回路に今回付加した回路図
【図１】
2007128838.tif 000003
【図２】
2007128838.tif 000004
【図３】
2007128838.tif 000005
【図４】
2007128838.tif 000006
【図５】
2007128838.tif 000007
(57)【要約】      （修正有）【課題】ヒーターの電位をカソードの電位より低くし、ヒーターからカソードへ電流が流れなく、ノイズの発生しないヒーター回路を提供する。【解決手段】ヒーターを直流点火し、電源のプラスをアースするヒーター回路を用いることにより上記問題を解決した。【選択図】図１
2007312341.tif 000002
【特許請求の範囲】
【請求項１】
傍熱真空管を直流点火し、ヒーター電源のプラスをアースするヒーター回路。
【発明の詳細な説明】
【技術分野】
【０００１】本発明は、オーディオ用傍熱真空管のヒーター回路に関するものである。
【背景技術】
【０００２】従来は、傍熱真空管のヒーターを交流点火した場合、ヒーター電源の一端をアースしていた。
【発明の開示】
【発明が解決しようとする課題】
【０００３】そのために次のような問題があった。傍熱真空管のカソードとヒーターの構造上の位置関係が整流管と同じなので、ヒーターの一部分の電位がカソードの電位より高くなったときに、その高くなったヒーターの一部分からカソードに電流が流れていた。この電流がプレート電流に重畳してカソード抵抗に流れノイズとなっていた。
本発明はこの問題点を解決するためになされたものである。
【課題を解決するための手段】
【０００４】ヒーターを直流点火して、ヒーター電源のプラスをアースする。以上を特徴とするヒーター回路である。
【発明の効果】
【０００５】以上のように構成された回路では、ヒーターの電位がカソードの電位より低いのでヒーターからカソードへ電流が流れない。その結果ノイズの発生しないヒーター回路となる。
【発明を実施するための最良の形態】
【０００６】以下、本発明の回路構成について説明する。
抵抗（２）の一端を傍熱真空管（１）のカソードに接続し、もう一端はアースする。
直流ヒーター電源（３）をヒーターに接続しヒーター電源のプラスをアースする。
【図面の簡単な説明】
【０００７】
【図１】本発明の回路図
【符号の説明】
【０００８】１  傍熱真空管
２  抵抗
３  ヒーター電源
【図１】
2007312341.tif 000003
(57)【要約】      （修正有）【課題】スケートボードに於いては足で地面を蹴って推進していたが、これを腕の力で紐を引っ張って推進力を得る。【解決手段】ワンウエイクラッチを具備するリコイルスターター１００の回転軸に、車輪３００又はプロペラの回転軸を結合した推進機構をスケートボードＢ１又はサーフボードに取り付ける。このリコイルスターターを使用した推進機構のストラップ１８０を引っ張って腕力により推進を得る。【選択図】図５
2007312904.tif 000002
【特許請求の範囲】
【請求項１】
ワンウエイクラッチを具備するリコイルスターターの回転軸に車輪が結合された推進具であって、これに取り付け具を有してなる補助推進具
【請求項２】
ワンウエイクラッチを具備するリコイルスターターの回転軸にプロペラが結合された推進具であって、これに取り付け具を有してなる補助推進具
【請求項３】
ワンウエイクラッチを具備するリコイルスターターの回転軸に螺旋軌状突起を有する円筒体が結合された推進具であって、これに取り付け具を有してなる補助推進具
【発明の詳細な説明】
【技術分野】
【０００１】
本発明は原動機の起動用に使われる所謂リコイルスターターと、車輪又はプロペラとを結合した車輪及びプロペラに、取り付け具を備えた補助推進装置に関する。
【０００２】
このリコイルスターター付き車輪を、例えばスケートボード等の移動遊具等に
取り付具で取り付けて、このリコイルスターターのストラップを人力により引っ張って、地上を推進させる。
【０００３】
サーフィンボードや小型ボートに於いては、このリコイルスターター付きプロペラを取り付けて、このストラップを人力により引っ張って、水上を推進させる。
【０００４】
スノーボードに於いては、このリコイルスターター付き螺旋状円筒体６００を取り付けて、このストラップを人力により引っ張って、水上を推進させる。
【背景技術】
【０００５】
従来、リコイルスターターは内燃機関の起動に用いられていたのみであり、これを人力による動力源として、移動具の推進源として使う発想は無かった。
【０００６】
リコイルスターターを推進装置として使う事により、上記したスケートボードやサーフボードやスノーボード、小型ボート等の最適な補助推進具となる。
【発明の開示】
【課題を解決するための手段】
【０００７】
ワンウエイクラッチを具備するリコイルスターターの回転軸と車輪又はプロペラの回転軸とを結合する。
そしてこれに、スケートボード等の移動遊具に取り付けることの出来る取り付け具を備える。
【０００８】
この取り付け具でスケートボードに固定し、このスケートボードに乗って、ストラップを引っ張るとリコイルスターターの回転軸が回転して車輪が回転し、推進力が得られる。
ストラップを離してリコイルスターターに回転力を付与なくても、スケートボードが惰性で移動しているので止まらない。つまり、スケートボード自身の慣性力が蓄力となっている。
【０００９】
人力による推進力が不用となった場合は、これを取り外し、本来の使い方でスケートボードやサーフボードを楽しむ事が出来るのでる。
【発明の効果】
【００１０】
腕力で推進力を得る事が出来るので、スケートボードに乗ったまま推進力を得る事が可能となるので、スピードが持続し爽快感を満喫できる。
サーフボードに於いては、乗ったままの状態で沖まで移動することが可能となので、海中に身体を晒さずに済む。
そして、波の無い時でも、推進する事が出来るので、大変爽快である。
【発明を実施するための最良の形態】
【００１１】
以下図を使って、駆動部が車輪である本発明をスケートボードに固定して使用する実施例について説明する
【００１２】
リコイルスターター１００は、これに内臓されたワンウエイクラッチ１５０を介し回転軸１２０で車輪３００に結合されている。
リコイルスターター１００のストラップ１８０はフレキシブルパイプの鞘管１７０の中を通りグリップ１９０に接続される。
【００１３】
この様な本発明は、取り付け具２００が具備され、この蝶螺子２５０でスケートボードＢ１に固定される。
【００１４】
これに、人間が乗り、グリップ１９０を引っ張れば、ストラップ１８０が引っ張られ車輪３００が回転して、スケートボードＢ１は走行を継続するのである。
【００１５】
この車輪３００の部分をプロペラ５００に置き換えて、サーフボードＢ２に取り付ければ水上を走行可能となる。
そして、同様に螺旋軌状円筒体６００置き換えて、スノーボードＢ３に取り付ければ雪上を走行可能となる。
【図面の簡単な説明】
【００１６】
【図１】駆動部が車輪である本発明の斜視図
【図２】駆動部が車輪である本発明の側面図
【図３】駆動部がプロペラである本発明の斜視図
【図４】駆動部が螺旋状推進体である本発明の斜視図
【図５】駆動部が車輪である本発明をスケートボードに取り付けた図
【図６】駆動部がプロペラである本発明をスケートボードに取り付けた図
【図７】駆動部が螺旋軌状円筒体である本発明をスケートボードに取り付けた図
【符号の説明】
【００１７】
１００  リコイルスターター    
１５０  ワンウエイクラッチ
１７０  フレキシブル鞘管
１８０  ストラップ   
１９０  グリップ
２００  取り付け具   
２５０  取り付け様蝶螺子 
３００  車輪
４００  ベベルギアー
５００  プロペラ
６００  螺旋軌状円筒体
Ｂ１    スケートボード
Ｂ２    サーフボード
Ｂ３    スノーボード
【図１】
2007312904.tif 000003
【図２】
2007312904.tif 000004
【図３】
2007312904.tif 000005
【図４】
2007312904.tif 000006
【図５】
2007312904.tif 000007
【図６】
2007312904.tif 000008
【図７】
2007312904.tif 000009
(57)【要約】【課題】  凝固操作を施すことによってゲル化する液体に粉末を添加して粒状の空洞を作成し、その外観、色彩を楽しみ、また同時に添加した粉末の持つ本来の香りを楽しめるようにし、かつ栄養成分を高めたゲル化固形食品を製造する方法を提供することを目的とする。【解決手段】  混合する粉末をゲル化する溶液に振りかけた後、ゲルの凝固反応を開始させると同時に溶液の上方からくし状にくり抜いた板を水平に保ちながら一気に挿入し攪拌しすぐに引き抜く。【特許請求の範囲】
【請求項１】
凝固操作により固化またはゲルを形成する液体中に粉末を混ぜ、成形されたゲルの中に粉末が分散溶解しないで粒状の含有物として残存することを特徴とする固形食品の製造方法。
【請求項２】
凝固操作が加熱、冷却、凝固剤の添加、または紫外線や赤外線を含む光反応である請求項１に記載の製造方法
【請求項３】
ゲルを形成する液体が植物または細菌や動物由来のゲル化成分、鉱物由来のゲル化成分、または化学合成品由来のゲル化成分である請求項１に記載の製造方法
【請求項４】
粉末がヨモギ、玄米、胡椒、砂糖等の植物由来の粉末または岩塩、金、銀等の鉱物由来の粉末である請求項１に記載の製造方法
【発明の詳細な説明】
【技術分野】
【０００１】  本発明は、凝固操作を施すことによってゲル化する液体に粉末を添加して粒状の塊を形成する新規な外観、風味及び食感の固形食品の製造方法に関する。
【背景技術】
【０００２】  液体に粉末を混合し、ゲル化操作を施すと粉末はゲル中に溶解または分散して均一になるか、比重の違いにより液表面に浮かび上がるか底に沈むかして不均一な層を形作る。
【発明の開示】
【発明が解決しようとする課題】
【０００３】  近年、食品に対する消費者の嗜好は多種多様を極めゲル化製品一つをとってもその中に添加する成分が均一に溶解して均一な味、香りを呈するものを希望したり、またそれとはまったく逆に不均一に溶解したものを希望したりしている。その要望に応えるべくグミ、ゼリー、ヨーグルト、豆腐等に粉末を混合溶解して風味、食感を改良した製品は多数上梓されている。しかるに添加した粉末はゲル化物に均一に溶解してしまうか、上部に浮遊するか、底部に沈殿してしまう製品がほとんどであり、且つ添加した粉末は溶解したゲルに回りを取り囲まれてしまうために粉末の持つ固有の香りが無くなってしまうものがほとんどであった。【０００４】  本発明は、凝固操作を施すことによってゲル化する液体に粉末を添加して粒状の空洞を作成して、その外観、色彩を楽しみ、また同時に添加した粉末の持つ本来の香りを楽しめるようにし、かつ栄養成分を高めたゲル化固形食品を製造する方法を提供することを目的とする。
【課題を解決するための手段】
【０００５】  本発明者等は、消費者の嗜好の多様性に答えるべく今までに無い外観、色彩、風味及び食感をもった食品を創造すべく鋭意研究を遂行し、粉末を混入した新感覚のゲル化物を開発することに成功した。【０００６】  本発明者等が開発した方法は以下の通り。
ゲル化するものとしてはグアーガム、アルギン酸ナトリウム、でん粉、寒天、豆乳等の植物由来のゲル化成分、ジェランガム等の細菌由来のゲル化成分、またはキトサン、チーズ、ゼラチン、油脂等の動物由来のゲル化成分、粘土等の鉱物由来のゲル化成分、またはカルボキシメチルセルロース、ポリ塩化アルミニウム、ポリアクリル酸ナトリウム等の化学合成品や非天然物由来のゲル化成分が挙げられる。添加する植物由来の粉末としてはヨモギ、玄米、胡椒、砂糖等、また鉱物由来の粉末としては岩塩、金、銀等が挙げられる。攪拌用のくしの幅は０．５ｃｍから５ｃｍ好ましくは１ｃｍから２ｃｍ間隔、歯の太さは１ｃｍから５ｃｍ好ましくは２ｃｍから３ｃｍに設定する時が最も良い結果を得られる。【０００７】  凝固剤を添加することによって凝固が開始する場合は、粉末及び凝固剤をゲル成分に添加した後、溶液の上方からくし状にくり抜いた板を水平に保ちながら一気に挿入し攪拌しすぐに引き抜く。凝固剤の量はくし板を引き抜いたときには凝固が開始されている量を添加すると良い結果が得られる。【０００８】  加熱により溶解し、冷却することによってゲル化するものの場合は、ゲル化剤を加熱して溶液状にし、冷却を開始し、ゲル化が開始されたと判断された直後に粉末を投入し、上方からくし状にくり抜いた板を水平に保ちながら一気に挿入し攪拌しすぐに引き抜く。くし板を引き抜いたときには溶液全体が凝固を完全に開始する温度以下になるように設定すると良い結果が得られる。【０００９】  光により凝固反応が開始されるものの場合は、粉末をゲル成分に添加した後、光をあてて反応を開始させると同時に溶液の上方からくし状にくり抜いた板を水平に保ちながら一気に挿入し攪拌しすぐに引き抜く。光反応はくし板を引き抜いたときには凝固が開始されている量を照射すると良い結果が得られる。
【発明の効果】
【００１０】  製造したものの断面を見るとき、粉末は小さな塊を形成し、水溶性の粉末の場合は空洞の周りに粉末が溶けて染み付いた形状を成し、またゲル成分に難溶解性の場合は空洞の中に粉末がそのままの形状を保ったままで閉じ込められている。また粉末が熱や凝固剤によりゲル化するものは周りのゲルとは別に粒状のゲルが包摂された形状を示し、今までに無い外観を呈する。【００１１】  ゲル中に包摂された粉末はその濃度が高くなるため、単純に攪拌され分散されたり溶解したものの場合より粉末の持つ元来の風味及び香りがより強くなる。【００１２】  また、従来のゲル製品に粉末を溶解させたものでは単一な表面を呈しているだけであったものが、当該粉末入り製品は粒子を含んだ模様部分を感覚的に楽しめるようになった。
【発明を実施するための最良の形態】
【実施例１】
【００１３】  金箔入りゼリーの製造方法を以下に記すが、本発明はこの実施例に限定されるものではない。【００１４】  ゼラチン１０ｇを約５００ｍＬの水で煮沸して溶解した後、適当な容量の容器に入れ、３０℃に保っておいた。別にスターチ５ｇに金箔０．１ｇを細かく切った物をよく混合したものを作成して溶解した寒天中に投入し、歯の太さ２ｃｍ、幅１ｃｍ間隔、長さ２０ｃｍのくしを用いて一気に攪拌した後急冷し寒天を凝固させた。【００１５】  上記方法で作られた寒天にはスターチ粉が固まり次いで熱により溶けて出来た粒状の空洞の内側に金箔が塗り込められているものが得られた。
【実施例２】
【００１６】  玄米入り豆腐４０丁分の製造方法を以下に記すが、本発明はこの実施例に限定されるものではない。【００１７】  大豆４Ｋｇを十分な量の水で一昼夜水晒しした物を５分間煮沸した後、熱い内にミキサーにかけて摩砕し、搾り機で搾って豆乳を得た。Ｂｒｉｘ濃度が１４％であるように調製した豆乳を１４Ｌの容器に入れ、５０℃に保っておいた。別に玄米１００ｇを強火で炒った物を粉末にして豆乳中に投入すると同時に海水にがりを添加し、歯の太さ２ｃｍ、幅１ｃｍ間隔、長さ２０ｃｍのくしを用いて一気に攪拌して豆乳を凝固させ、玄米入りきぬ豆腐を作成した。【００１８】  上記方法で作られた豆腐には玄米が粉粒子となって形成した粒状の空洞の内側に玄米が溶けて膜を形成したものが得られた。
(57)【要約】【課題】完熟梅を風味豊かに美しい味を保持するように漬け込む方法【解決手段】コラーゲンを０．１〜４．０％含む漬け込み液で処理することによって、風味及び形を保った梅漬けが完成する事が判明した。【特許請求の範囲】
【請求項１】
コラーゲンを含む漬け込み梅
【請求項２】
請求項１に記載のコラーゲン濃度を０．１〜４．０％含む漬け込み梅
【発明の詳細な説明】
【技術分野】
【０００１】この発明はうめの漬け込みに際してコラーゲンを一定濃度添加することによって、味覚の改良及び保存状態の改善を行なう技術に関する。【０００２】一般に良好な梅の漬け込みに使用される梅は、いわゆる完熟梅を使用するため、保存中に果肉の荷崩れが起こり易く、商品の長期保存に問題がある。このため、完熟梅を使用せず、未熟の青梅を漬けた商品などが、出回っているが、本来、梅の持つ独自の果物風の味に欠ける。そこで、熟した梅を使用しながら、その形状と味の保存の可能な漬け方が望まれていた。
【発明の開示】
【発明が解決しようとする課題】
【０００３】かかる強い要請にこたえるべく、鋭意研究した結果、本発明者等はコラーゲン分子を０．１〜４．０％溶解した調味液に梅を漬け込むことによって、梅特有の風味及び型状を保つことに成功し、本発明を完成するに至った。コラーゲンの濃度は目的により調節することが出来、上記濃度にとらわれる必要はない。【０００４】従って、この発明は新しいコラーゲン入りの梅を提供する事を目的とする。
【実施例】
【０００５】次の工程にて、コラーゲン入り梅漬けを作製する。
完熟梅を水でよく洗浄し、２０％の塩漬けとした後、約１ヶ月間漬け込む。その後、天日干しした後、約２ヶ月置いて水洗いをする。約１０％となるように脱塩し、コラーゲンを０．１〜４０％を含む調味液に２週間漬け込む。その後５時間の液切りをした後に容器詰めを行なう。
梅１００ｇに対し調味液は以下の組成とする。
2007312759.tif 000002
【産業上の利用可能性】
【０００６】この発明は完熟梅の美味しい漬け方に関するもので、ややもすると型状崩れや、風味の消失が懸念されていた点をコラーゲンを適宜添加することによって防止でき、消費者に美味で型の良い栄養価に富んだ梅を提供できる。コラーゲンは生体成分として美容と健康に役立つこともできる。
(57)【要約】【課題】  ペットの足裏の保護を確実なものにすると同時に、ペットへの負担の軽減を図る。【解決手段】  ペットの足裏の形状に対応する形に成形されているシート本体１の片面に上記ペットの足裏に貼り付けるための粘着面２を設けてあり、シート本体に内方より外周に向けて複数の切込み３を入れてあり、切込み間がペットの肉球５を包み可能である切り起こし部４を設けてある。【選択図】図１
2007312754.tif 000002
【特許請求の範囲】
【請求項１】
シート本体の片面には、ペットの足裏に貼り付けるための粘着面を設けてあり、上記シート本体が上記ペットの足裏の形状に対応する形状に成形されていることを特徴とするペット用足裏保護シート。
【請求項２】
シート本体には、内方よりその外周部に向けて複数の切込みを入れてあり、上記切込み間がペットの肉球を包み可能である切り起こし部となっていることを特徴とする請求項１記載のペット用足裏保護シート。
【発明の詳細な説明】
【技術分野】
【０００１】  この発明は、日差しの強い時期などに生じる高温となった地面などを歩く犬や猫などのペットの足裏を保護するためのシートに関するものである。
【背景技術】
【０００２】  従来、犬や猫の足裏（肉球）を保護する手段としてペット用靴が主流であった。
例えば特開昭６０−４９７３２号公報に記載の犬の靴は後方を開閉させてはかせるものである。また特開平１１−３２６１５号公報に記載の犬の靴は材質を浸漬成形用液状弾性材を用いてペットの足にフィットさせるものである。
【特許文献１】  特開昭６０−４９７３２号公報
【特許文献２】  特開平１１−３２６１５号公報
【発明の開示】
【発明が解決しようとする課題】
【０００３】  しかしながら、従来技術によれば、どんなに軽い素材を使っても、足裏の肉球を保護することができるものの、足全体を覆うので、散歩中に脱げたり、歩きづらかったり、ペットへの負担が大きくなる不都合があった。
この発明の目的は、ペットの足裏の保護を確実なものにすると同時に、ペットへの負担の軽減を図ることにある。
【課題を解決するための手段】
【０００４】  この発明の第１の特徴は、シート本体がペットの足裏の形状に対応する形状に成形されていると共に、シート本体の片面には上記ペットの足裏に貼り付けるための粘着面を設けていることにある。
この発明の第２の特徴は、シート本体には内方よりその外周部に向けて複数の切込みを入れてあり、上記切込み間がペットの肉球を包み可能である切り起こし部となっていることにある。
【発明の効果】
【０００５】  この発明によれば、ペットの足裏に直接貼ってこれを熱などから保護するので、靴にはない軽さ、歩きやすさなど裸足で歩いているのと何ら変わりなく、ペットへの負担を大幅に軽減することができる。
【発明を実施するための最良の形態】
【０００６】  図示するペット用足裏保護シートは、シート本体１と、このシート本体上に設けてある粘着面２と、シート本体に切り込んである切込み３とを備えている。【０００７】  シート本体１は、図１に示すようにペット例えば犬の足裏形状に対応する形に成形されている。ペット用足裏保護シートの使用時には、シート本体１の上面（片面）に犬の肉球５が置かれる。シート本体１の素材としては、通気性や伸縮性に富んだものが良く、そして誤飲事故を考慮して植物性の部材を用いるのが望ましい。【０００８】  粘着面２は、ペットの足裏に貼り付けるためのものであり、シート本体１の上面全面又は所定箇所に形成されている。粘着面２に用いる粘着素材は例えば食品糊などの植物性のものが良い。【０００９】  図１及び図２に示すようにシート本体１には、内方よりその外周部に向けて複数本（図では４本）の切込み３が放射状に入れられている。隣接する切込み３間がペットの肉球５を包み可能である切り起こし部４となっている。ペット用足裏保護シートの使用時には、切り起こし部４を上方に起こして、図１に示す肉球５を包み込むようにすることにより、これらの切り起こし部は肉球全体を熱などから保護すると共に、歩きやすくする役目がある。【００１０】  ペット用足裏保護シートの使用方法について説明する。
例えば犬を日差しの強い日に散歩させる場合、各足裏にシート本体１上に載せて、粘着面２を通じて貼り付けから、切り起こし部４を上方に起こして足裏周囲を囲んで肉球５を包むようにしてこれを保護する。この状態で、犬が高温となった地面などを歩いても、直接肉球５に熱が伝わらないので、火傷することなく散歩することができる。【００１１】  上述したように図示するペット用足裏保護シートにあっては、犬や猫などのペットが日差しの強い時期に高温となった地面などを歩く場合でも、ペットの足裏を熱から保護することができる。そしてこのペット用足裏保護シートをペットの足裏に直接貼るだけで保護できるので、保護靴と比較してペットの負担が軽減される。さらに、ペット用足裏保護シートの使用時にはペットの足裏に直接貼るだけで良く、不使用時には剥がすだけで良いので、その取り扱いが簡単である。【００１２】  ペット用足裏保護シートを室内用として利用する場合には、シート本体１の裏面に滑り止めシートを貼るなど滑り止め手段を施しておくのが良い。
【図面の簡単な説明】
【００１３】
【図１】  この発明の一実施形態を示す平面図であって、ペットの足裏との関係を示す図である。
【図２】  この発明の一実施形態を示す平面図である。
【図３】  図２のＩＩＩ−ＩＩＩ線拡大断面図である。
【符号の説明】
【００１４】  １    シート本体
２    粘着面
３    切込み
４    切り起こし部
５    肉球
【図１】
2007312754.tif 000003
【図２】
2007312754.tif 000004
【図３】
2007312754.tif 000005